(57)【要約】【課題】独立した複数のログを接続して利用することが可能なデータ接続装置、データ接続方法及びプログラムを提供することにある。【解決手段】実施形態に係るデータ接続装置は、第１のログ格納手段と、第２のログ格納手段と、第１の取得手段と、第２の取得手段と、処理手段とを具備する。第１のログ格納手段は、ユーザの第１の行動を示す複数の第１のログを格納する。第２のログ格納手段は、第１のログとは独立した、ユーザの第２の行動を示す複数の第２のログを格納する。複数の第１のログのうち、特定の第１の行動を示す第１のログの集合を取得する。第２の取得手段は、第１のログの集合と共通する特徴を有する第２のログの集合を取得する。処理手段は、第１のログの集合と第２のログの集合とを接続するための処理を実行する。【選択図】図１
2018147177.tif 000002
【特許請求の範囲】
【請求項１】
ユーザの第１の行動を示す複数の第１のログを格納する第１のログ格納手段と、
前記第１のログとは独立した、ユーザの第２の行動を示す複数の第２のログを格納する第２のログ格納手段と、
前記複数の第１のログのうち、特定の第１の行動を示す第１のログの集合を取得する第１の取得手段と、
前記第１のログの集合と共通する特徴を有する第２のログの集合を取得する第２の取得手段と、
前記第１のログの集合と前記第２のログの集合とを接続するための処理を実行する処理手段と
を具備するデータ接続装置。
【請求項２】
前記第１の行動をしたユーザに関する第１の属性情報を格納する第１の属性情報格納手段と、
前記第２の行動をしたユーザに関する第２の属性情報を格納する第２の属性情報格納手段と、
前記第２の取得手段は、前記第１のログの集合に基づいて、前記特定の第１の行動をしたユーザに関する第１の属性情報を取得する第３の取得手段と、
前記取得された第１の属性情報を分析することによって、当該第１の属性情報と特徴が共通する第２の属性情報を取得する第４の取得手段と
を更に具備し、
前記第２の取得手段は、前記取得された第２の属性情報に関するユーザの第２の行動を示す第２のログの集合を取得する
請求項１記載のデータ接続装置。
【請求項３】
特定のユーザの第１の行動を示す第１のログ、前記特定のユーザの第２の行動を示す第２のログ、前記特定のユーザに関する第１の属性情報、前記特定のユーザに関する第２の属性情報に基づいて、前記第１の属性情報と前記第２の属性情報とにおける特徴の関係性を抽出する抽出手段と、
前記第１の属性情報と前記第２の属性情報とにおける特徴の関係性において前記第３の取得手段によって取得された第１の属性情報に対応する第２の属性情報を取得する第５の取得手段と
を更に具備し、
前記第２の取得手段は、前記第５の取得手段によって取得された第２の属性情報に関するユーザの第２の行動を示す第２のログの集合を取得する
請求項２記載のデータ接続装置。
【請求項４】
前記第２のログの集合を表示する表示処理手段を更に具備する請求項１記載のデータ接続装置。
【請求項５】
前記第２のログは、番組を視聴可能な機器においてユーザが番組を視聴したという行動を示す視聴ログを含む請求項１記載のデータ接続装置。
【請求項６】
前記第１のログは、ユーザが商品を購入したという行動を示す購入ログを含む請求項５記載のデータ接続装置。
【請求項７】
前記第１のログは、ユーザがウェブサイトを閲覧したという行動を示す閲覧ログを含む請求項５記載のデータ接続装置。
【請求項８】
ユーザの第１の行動を示す複数の第１のログを格納する第１のログ格納手段と、前記第１のログとは独立した、ユーザの第２の行動を示す複数の第２のログを格納する第２のログ格納手段とを利用するデータ接続装置が実行するデータ接続方法であって、
前記複数の第１のログのうち、特定の第１の行動を示す第１のログの集合を取得するステップと、
前記第１のログの集合と共通する特徴を有する第２のログの集合を取得するステップと、
前記第１のログの集合と前記第２のログの集合とを接続するための処理を実行するステップと
を具備するデータ接続方法。
【請求項９】
ユーザの第１の行動を示す複数の第１のログを格納する第１のログ格納手段と、前記第１のログとは独立した、ユーザの第２の行動を示す複数の第２のログを格納する第２のログ格納手段とを利用するデータ接続装置のコンピュータによって実行されるプログラムであって、
前記複数の第１のログのうち、特定の第１の行動を示す第１のログの集合を取得するステップと、
前記第１のログの集合と共通する特徴を有する第２のログの集合を取得するステップと、
前記第１のログの集合と前記第２のログの集合とを接続するための処理を実行するステップと
を実行させるためのプログラム。
【発明の詳細な説明】
【技術分野】
【０００１】
本発明の実施形態は、データ接続装置、データ接続方法及びプログラムに関する。
【背景技術】
【０００２】
近年では、例えばインターネットのようなネットワークにつないだテレビ等の映像視聴機器（以下、視聴機器と表記）から、当該視聴機器において視聴者が番組（コンテンツ）を視聴したことを示す視聴ログを取得することが知られている。
【０００３】
このような視聴ログを解析した解析結果は、例えば番組の制作及び広告の展開等のサービスの質の向上に利用することが可能である。
【先行技術文献】
【特許文献】
【０００４】
【特許文献１】特開２０１０−１６０６４２号公報
【特許文献２】特開平１０−１８７７３４号公報
【発明の概要】
【発明が解決しようとする課題】
【０００５】
ところで、上記した視聴ログとは独立した別のログとして、購入者（消費者）が商品等を購入したことを示す購入ログを取得している場合がある。このような購入ログを解析した解析結果は、例えばマーケティング等に利用することが可能である。
【０００６】
視聴ログ及び購入ログは上記したように有用な情報であるが、それぞれが独立したログであるため、当該２つのログを接続して利用することはできない。
【０００７】
２つのログを接続して利用することができれば、単独のログからは得ることができない情報を得ることが可能となる。
【０００８】
そこで、本発明が解決しようとする課題は、独立した複数のログを接続して利用することが可能なデータ接続装置、データ接続方法及びプログラムを提供することにある。
【課題を解決するための手段】
【０００９】
実施形態に係るデータ接続装置は、第１のログ格納手段と、第２のログ格納手段と、第１の取得手段と、第２の取得手段と、処理手段とを具備する。前記第１のログ格納手段は、ユーザの第１の行動を示す複数の第１のログを格納する。前記第２のログ格納手段は、前記第１のログとは独立した、ユーザの第２の行動を示す複数の第２のログを格納する。前記複数の第１のログのうち、特定の第１の行動を示す第１のログの集合を取得する。前記第２の取得手段は、前記第１のログの集合と共通する特徴を有する第２のログの集合を取得する。前記処理手段は、前記第１のログの集合と前記第２のログの集合とを接続するための処理を実行する。
【図面の簡単な説明】
【００１０】
【図１】実施形態に係るデータ接続装置の構成の一例を示すブロック図。
【図２】購入ログ格納部に格納されている購入ログのデータ構造の一例を示す図。
【図３】購入者情報格納部に格納されている購入者情報のデータ構造の一例を示す図。
【図４】視聴ログ格納部に格納されている視聴ログのデータ構造の一例を示す図。
【図５】視聴者情報格納部に格納されている視聴者情報のデータ構造の一例を示す図。
【図６】処理部の機能構成の一例を示すブロック図。
【図７】データ接続装置の処理手順の一例を示すフローチャート。
【図８】対応情報を利用する場合におけるデータ接続装置の処理手順の一例を示すフローチャート。
【図９】視聴ログ集合の表示例を示す図。
【図１０】視聴ログ集合の別の表示例を示す図。
【図１１】視聴ログ集合の更に別の表示例を示す図。
【図１２】視聴ログ集合の更に別の表示例を示す図。
【発明を実施するための形態】
【００１１】
以下、図面を参照して、実施形態について説明する。  
図１は、本実施形態に係るデータ接続装置の構成の一例を示すブロック図である。本実施形態に係るデータ接続装置は、例えばユーザの第１の行動（の履歴）を示す第１のログと当該第１のログとは独立したユーザの第２の行動（の履歴）を示す第２のログとを接続することにより、当該第１のログ及び第２のログの各々からは得ることができない情報を得るために用いられる。なお、本実施形態において独立したログとは、例えば同一人物の行動の履歴であるような場合であっても、履歴の記録の取得方法がことなる、履歴の対象となる項目が異なる、または履歴を記録するデータベースの構造が異なる等によって、ログが互いに独立していることをいう。
【００１２】
以下の説明において、第１の行動を示す第１のログは、例えばユーザが商品を購入したという行動を示す購入ログ（購買ログ）であるものとする。一方、第２の行動を示す第２のログは、例えばテレビのような番組を視聴可能な映像視聴機器（以下、視聴機器）において、ユーザが番組を視聴したという行動を示す視聴ログであるものとする。
【００１３】
この場合、図１に示すように、データ接続装置１０は、購入ログ格納部１１、購入者情報格納部１２、視聴ログ格納部１３、視聴者情報格納部１４及び処理部１５を含む。
【００１４】
本実施形態において、購入ログ格納部１１、購入者情報格納部１２、視聴ログ格納部１３及び視聴者情報格納部１４は、データ接続装置１０に備えられる例えばＨＤＤ（Hard Disk Drive）及びＳＳＤ（Solid State Drive）のような記憶装置を用いて実現される。また、処理部１５は、例えば記憶装置に格納されているプログラムを実行するデータ接続装置１０に備えられるコンピュータ（例えば、プロセッサ等）によって実現される。
【００１５】
購入ログ格納部１１には、上記した購入ログが格納されている。購入ログは、例えば所定のポイントカードを所有するユーザ（以下、購入者と表記）が当該ポイントカードを提示して、店舗で商品を購入したという行動の履歴を示す。購入ログ格納部１１には、購入ログを収集可能な複数の店舗（の端末）の各々から収集された多数の購入ログが予め格納されているものとする。
【００１６】
購入者情報格納部１２には、商品を購入する際に提示するポイントカードを所有する購入者に関する情報（以下、購入者情報と表記）が予め格納されている。なお、購入者情報は、例えば購入者がポイントカードを取得する際に当該購入者によって購入者情報格納部１２に登録されるものとする。
【００１７】
視聴ログ格納部１３には、上記した視聴ログが格納されている。視聴ログは、上記したように視聴機器を使用するユーザ（以下、視聴者と表記）が当該視聴機器において番組を視聴したという行動の履歴を示す。視聴ログ格納部１３には、視聴ログを収集可能な複数の視聴機器の各々から収集された多数の視聴ログが予め格納されているものとする。
【００１８】
視聴者情報格納部１４には、視聴ログが収集される視聴機器において番組を視聴する視聴者に関する情報（以下、視聴者情報と表記）が予め格納されている。なお、視聴者情報は、例えば視聴者が視聴機器の使用を開始する際に当該視聴者によって視聴者情報格納部１４に登録されるものとする。
【００１９】
上記した購入ログ格納部１１に格納されている購入ログ、購入者情報格納部１２に格納されている購入者情報、視聴ログ格納部１３に格納されている視聴ログ及び視聴者情報格納部１４に格納されている視聴者情報（のデータ構造）の詳細については後述する。
【００２０】
処理部１５は、購入ログ格納部１１、購入者情報格納部１２、視聴ログ格納部１３及び視聴者情報格納部１４を参照して、購入ログ格納部１１に格納されている購入ログの集合（第１のログの集合）と、視聴ログ格納部１３に格納されている視聴ログの集合（第２のログの集合）とを接続するための処理を実行する。処理部１５の詳細については後述する。
【００２１】
図２は、図１に示す購入ログ格納部１１に格納されている購入ログのデータ構造の一例を示す。図２に示すように、購入ログ格納部１１に格納されている購入ログには、カードＩＤに対応づけて商品ＩＤが含まれる。
【００２２】
カードＩＤは、購入者が所有するポイントカードを識別するための識別情報である。商品ＩＤは、当該商品ＩＤに対応づけられているカードＩＤによって識別されるポイントカードを所有する購入者が購入した商品を識別するための識別情報である。
【００２３】
図２に示す例では、購入ログ格納部１１には、購入ログ１１１及び１１２を含む複数の購入ログが格納されている。
【００２４】
具体的には、購入ログ１１１は、カードＩＤ「Ｃ１」に対応づけて商品ＩＤ「商品Ａ」を含む。この購入ログ１１１によれば、カードＩＤ「Ｃ１」によって識別されるポイントカードを所有する購入者が商品ＩＤ「商品Ａ」によって識別される商品を購入したことが示されている。
【００２５】
また、購入ログ１１２は、カードＩＤ「Ｃ２」に対応づけて商品ＩＤ「商品Ｂ」を含む。この購入ログ１１２によれば、カードＩＤ「Ｃ２」によって識別されるポイントカードを所有する購入者が商品ＩＤ「商品Ｂ」によって識別される商品を購入したことが示されている。
【００２６】
なお、上記した購入ログ１１１は、例えば店舗においてカード「Ｃ１」によって識別されるポイントカードを所有する購入者が商品ＩＤ「商品Ａ」によって識別される商品を購入した際に、当該店舗に設けられている端末から当該カードＩＤ「Ｃ１」及び当該商品ＩＤ「商品Ａ」が送信されることによって、購入ログ格納部１１に格納されるものとする。購入ログ１１２についても同様である。
【００２７】
ここでは詳しい説明を省略するが、購入ログ格納部１１には、上記した購入ログ１１１及び１１２以外にも、ポイントカードを所有する全ての購入者が商品を購入した履歴が購入ログとして格納されている。
【００２８】
また、図２においては省略されているが、購入ログには、商品ＩＤによって識別される商品が購入された店舗を識別するための店舗ＩＤ等が含まれていても構わない。
【００２９】
図３は、図１に示す購入者情報格納部１２に格納されている購入者情報のデータ構造の一例を示す。購入者情報格納部１２に格納されている購入者情報には、カードＩＤに対応づけて、例えば性別、年齢、年収及び趣味等の複数の属性情報が含まれている。
【００３０】
カードＩＤは、購入者が所有するポイントカードを識別するための識別情報である。性別は、当該性別に対応づけられているカードＩＤによって識別されるポイントカードを所有する購入者の性別を示す。年齢は、当該年齢に対応づけられているカードＩＤによって識別されるポイントカードを所有する購入者の年齢を示す。
【００３１】
年収は、当該年収に対応づけられているカードＩＤによって識別されるポイントカードを所有する購入者の年収を示す。趣味は、当該趣味に対応づけられているカードＩＤによって識別されるポイントカードを所有する購入者の趣味を示す。
【００３２】
図３に示す例では、購入者情報格納部１２には、購入者情報１２１及び購入者情報１２２を含む複数の購入者情報が格納されている。
【００３３】
具体的には、購入者情報１２１は、カードＩＤ「Ｃ１」に対応づけて、性別「女性」、年齢「２４」、年収「△△△△」及び趣味「ガーデニング、・・・」を含む。この購入者情報１２１によれば、カードＩＤ「Ｃ１」によって識別されるポイントカードを所有する購入者の性別が女性であり、当該購入者の年齢が２４歳であり、当該購入者の年収が△△△△であり、当該購入者の趣味がガーデニング等であることが示されている。
【００３４】
また、購入者情報１２２は、カードＩＤ「Ｃ２」に対応づけて、性別「男性」、年齢「３４」、年収「○○○○」及び趣味「スポーツ、・・・」を含む。この購入者情報１２２によれば、カードＩＤ「Ｃ２」によって識別されるポイントカードを所有する購入者の性別が男性であり、当該購入者の年齢が３４歳であり、当該購入者の年収が○○○○であり、当該購入者の趣味がスポーツ等であることが示されている。
【００３５】
ここでは詳しい説明を省略するが、購入者情報格納部１２には、購入者情報１２１及び１２２以外にも、ポイントカードを所有する全ての購入者に関する購入者情報が格納されている。
【００３６】
なお、本実施形態において購入者情報（に含まれる性別、年齢、年収及び趣味等）は例えば購入者がポイントカードを取得する際に当該購入者によって購入者情報格納部１２に登録されるが、当該購入者情報に含まれる例えば年収及び趣味等は、当該購入者情報に含まれるカードＩＤを含む購入ログに基づいて推定されて、購入者情報格納部１２に自動的に登録されても構わない。
【００３７】
具体的には、例えば同一のカードＩＤに対応づけて購入ログに含まれる商品ＩＤによって識別される商品（つまり、当該カードＩＤによって識別されるポイントカードを所有する購入者によって購入された商品）の中に比較的金額の高いものが多い場合には、当該購入者の年収は高めであると推定することができるし、当該商品の中に比較的金額の低いものが多い場合には、当該購入者の年収は低めであると推定することができる。なお、各商品の金額（を示す情報）については、データ接続装置１０内において予め用意されていてもよいし、外部のサーバ装置から取得されてもよい。
【００３８】
また、例えば同一のカードＩＤに対応づけて購入ログに含まれる商品ＩＤによって識別される商品の中にガーデニングに使用されるものが多い場合には、当該購入者の趣味はガーデニングであると推定することができるし、当該商品の中にスポーツに使用されるものが多い場合には、当該購入者の趣味はスポーツであると推定することができる。なお、各商品の使用用途（を示す情報）については、データ接続装置１０内において予め用意されていてもよいし、外部のサーバ装置から取得されてもよい。
【００３９】
図４は、図１に示す視聴ログ格納部１３に格納されている視聴ログのデータ構造の一例を示す。図４に示すように、視聴ログ格納部１３に格納されている視聴ログには、機器ＩＤに対応づけて、番組ＩＤ、視聴開始時刻及び視聴終了時刻が含まれている。
【００４０】
機器ＩＤは、当該機器ＩＤを含む視聴ログを収集した視聴機器を識別するための識別情報である。
【００４１】
番組ＩＤは、当該番組ＩＤに対応づけられている機器ＩＤによって識別される視聴機器において視聴された番組を識別するための識別情報である。
【００４２】
視聴開始時刻は、当該視聴開始時刻に対応づけられている機器ＩＤによって識別される視聴機器において、番組ＩＤによって識別される番組の視聴を開始した日時等を示す。
【００４３】
視聴終了時刻は、当該視聴終了時刻に対応づけられている機器ＩＤによって識別される視聴機器において、番組ＩＤによって識別される番組の視聴を終了した日時等を示す。
【００４４】
図４に示す例では、例えば機器ＩＤ「Ｄ１」によって識別される視聴機器から収集された視聴ログとして、視聴ログ１３１及び１３２を含む複数の視聴ログが示されている。なお、機器ＩＤ「Ｄ１」によって識別される視聴機器から収集された視聴ログには、当該機器ＩＤ「Ｄ１」が含まれている。
【００４５】
具体的には、視聴ログ１３１は、機器ＩＤ「Ｄ１」に対応づけて、番組ＩＤ「番組Ｄ」、視聴開始時刻「２０１６／９／２２（ｓｕｎ）２０：２５：００」及び視聴終了時刻「２０１６／９／２２（ｓｕｎ）２０：５３：２４」を含む。この視聴ログ１３１によれば、機器ＩＤ「Ｄ１」によって識別される視聴機器において、２０１６年９月２２日（日）の２０時２５分００秒から２０１６年９月２２日（日）の２０時５３分２４秒まで番組ＩＤ「番組Ｄ」によって識別される番組が視聴されたことが示されている。
【００４６】
また、視聴ログ１３２は、機器ＩＤ「Ｄ１」に対応づけて、番組ＩＤ「番組Ａ」、視聴開始時刻「２０１６／９／２２（ｓｕｎ）２１：００：０５」及び視聴終了時刻「２０１６／９／２２（ｓｕｎ）２１：５４：５６」を含む。この視聴ログ１３２によれば、機器ＩＤ「Ｄ１」によって識別される視聴機器において、２０１６年９月２２日（日）の２１時００分０５秒から２０１６年９月２２日（日）の２１時５４分５６秒まで番組ＩＤ「番組Ａ」によって識別される番組が視聴されたことが示されている。
【００４７】
ここでは詳しい説明を省略するが、視聴ログ格納部１３には、上記した視聴ログ１３１及び１３２以外にも、機器ＩＤ「Ｄ１」によって識別される視聴機器から収集された全ての視聴ログが格納されている。
【００４８】
また、図４に示す例では、例えば機器ＩＤ「Ｄ２」によって識別される視聴機器から収集された視聴ログとして、視聴ログ格納部１３には、機器ＩＤ「Ｄ２」を含む複数の視聴ログが格納されている。
【００４９】
なお、機器ＩＤ「Ｄ２」によって識別される視聴機器から収集された視聴ログ（のデータ構造）は、上記した機器ＩＤ「Ｄ１」によって識別される視聴機器から収集された視聴ログ（例えば、視聴ログ１３１及び１３２）と同様であるため、その詳しい説明を省略する。
【００５０】
図４においては機器ＩＤ「Ｄ１」及び「Ｄ２」によって識別される視聴機器から収集された視聴ログについてのみ示されているが、視聴ログ格納部１３には、他の視聴機器から収集された視聴ログについても同様に格納されている。
【００５１】
なお、本実施形態における視聴ログは、１回の視聴行動を表すものとする。１の視聴ログによって表される視聴行動は、例えばチャンネルを変更するまたは視聴機器の電源をＯＮすることで開始され、チャンネルを変更するまたは視聴機器の電源をＯＦＦすることで終了する。
【００５２】
図５は、図１に示す視聴者情報格納部１４に格納されている視聴者情報のデータ構造の一例を示す。視聴者情報格納部１４に格納されている視聴者情報には、機器ＩＤに対応づけて、例えば性別、年齢及び画面サイズ等の複数の属性情報が含まれている。
【００５３】
機器ＩＤは、視聴者が番組を視聴する視聴機器（つまり、当該視聴者が使用する視聴機器）を識別するための識別情報である。性別は、当該性別に対応づけられている機器ＩＤによって識別される視聴機器において番組を視聴する視聴者の性別を示す。年齢は、当該年齢に対応づけられている機器ＩＤによって識別される視聴機器において番組を視聴する視聴者の年齢を示す。
【００５４】
画面サイズは、当該画面サイズに対応づけられている機器ＩＤによって識別される視聴機器の画面サイズを示す。
【００５５】
図５に示す例では、視聴者情報格納部１４には、視聴者情報１４１及び１４２を含む複数の視聴者情報が格納されている。
【００５６】
具体的には、視聴者情報１４１は、機器ＩＤ「Ｄ１」に対応づけて、性別「男性」、年齢「４８」及び画面サイズ「画面サイズ１」を含む。この視聴者情報１４１によれば、機器ＩＤ「Ｄ１」によって識別される視聴機器において番組を視聴する視聴者の性別が男性であり、当該視聴者の年齢が４８歳であり、当該視聴機器の画面サイズが画面サイズ１であることが示されている。
【００５７】
また、視聴者情報１４２は、機器ＩＤ「Ｄ２」に対応づけて、性別「女性」、年齢「３０」及び画面サイズ「画面サイズ２」を含む。この視聴者情報１４２によれば、機器ＩＤ「Ｄ２」によって識別される視聴機器において番組を視聴する視聴者の性別が女性であり、当該視聴者の年齢が３０歳であり、当該視聴機器の画面サイズが画面サイズ２であることが示されている。
【００５８】
ここでは詳しい説明を省略するが、視聴者情報格納部１４には、視聴者情報１４１及び１４２に関する視聴者以外の視聴者についても同様に視聴者情報が格納されている。
【００５９】
なお、本実施形態において視聴者情報（に含まれる性別、年齢及び画面サイズ等）は例えば視聴者が視聴機器の使用を開始する際に当該視聴者によって視聴者情報格納部１４に登録されるが、当該視聴者情報に含まれる例えば画面サイズは、視聴機器の製品番号等に基づいて視聴情報格納部１４に自動的に登録されても構わない。
【００６０】
また、ここでは視聴者情報には性別、年齢及び画面サイズが属性情報として含まれるものとして説明したが、当該視聴者情報には、例えば家族構成や地域等の属性情報が含まれていても構わない。
【００６１】
なお、視聴者情報に含まれる家族構成は、例えば視聴者情報に含まれる機器ＩＤを含む視聴ログに基づいて推定されて、視聴者情報格納部１４に自動的に登録されても構わない。具体的には、例えば同一の機器ＩＤに対応づけて視聴ログに含まれる番組ＩＤによって識別される番組（つまり、当該機器ＩＤによって識別される視聴機器において視聴された番組）の中に比較的幼児向けの番組が多い場合には、当該視聴機器を使用する視聴者は小さい子供がいる家族構成であることを推定することができる。なお、各番組が幼児向けの番組であるか否か等を示す情報については、データ接続装置１０内において予め用意されていてもよいし、外部のサーバ装置から取得されてもよい。
【００６２】
また、視聴者情報に含まれる地域は、例えば視聴者が視聴機器の使用を開始する際に登録する郵便番号または市外局番等の情報に基づいて視聴者情報格納部１４に自動的に登録されても構わない。
【００６３】
図６は、図１に示す処理部１５の機能構成の一例を示すブロック図である。図６に示すように、処理部１５は、購入ログ集合取得部１５１、第１特徴分析部１５２、視聴ログ集合取得部１５３、表示処理部１５４、対応情報取得部１５５及び第２特徴分析部１５６を含む。
【００６４】
本実施形態において、これらの各部１５１〜１５６の一部または全ては、例えば上記したコンピュータにプログラムを実行させること、すなわち、ソフトウェアによって実現されるものとする。なお、これらの各部１５１〜１５６の一部または全ては、例えばＩＣ（Integrated Circuit）等のハードウェアによって実現されてもよいし、ソフトウェア及びハードウェアの組み合わせ構成として実現されてもよい。なお、コンピュータに実行させるプログラムは、コンピュータ読み取り可能な記憶媒体に格納して頒布されてもよいし、またはネットワークを通じてデータ接続装置１０にダウンロードされてもよい。
【００６５】
購入ログ集合取得部１５１は、購入ログ格納部１１に格納されている複数の購入ログのうち、特定の商品を購入したという行動を示す購買ログの集合（以下、購買ログ集合と表記）を取得する。この購入ログ集合取得部１５１によって取得された購買ログ集合によれば、特定の商品を購入した購入者（が所有するポイントカードを識別するためのカードＩＤ）の集合を特定することができる。
【００６６】
第１特徴分析部１５２は、購入者情報格納部１２に格納されている購入者情報（に含まれる属性情報）を分析することによって、上記した購入ログ集合取得部１５１によって取得された購入ログ集合（特定の商品を購入した購入者の集合）における共通の特徴を抽出する。
【００６７】
視聴ログ集合取得部１５３は、視聴者情報格納部１４に格納されている視聴者情報（に含まれる属性情報）及び第１特徴分析部１５２によって抽出された特徴に基づいて、購入ログ集合取得部１５１によって取得された購入ログ集合と共通する特徴を有する視聴ログの集合（以下、視聴ログ集合と表記）を視聴ログ格納部１３から取得する。
【００６８】
本実施形態においては、上記した購入ログ集合取得部１５１によって取得された購入ログ集合と視聴ログ集合取得部１５３によって取得された視聴ログ集合とを接続することができる。
【００６９】
表示処理部１５４は、上記したように購入ログ集合と接続された視聴ログ集合を表示する処理を実行する。
【００７０】
ここで、上記した購入ログ及び視聴ログの各々には共通のＩＤ等は用いられていないため、例えば同一のユーザに関する購買ログ及び視聴ログを特定することはできない。これに対して、本実施形態においては、上記した購入ログ集合と視聴ログ集合とを高い精度で接続するためにサンプルとして収集された同一のユーザ（特定のユーザ）に関する購入ログ、購入者情報、視聴ログ及び視聴者情報（つまり、接続済みの情報）が予め用意されていてもよい。
【００７１】
対応情報取得部１５５は、上記した同一のユーザに関する購買ログ、購買者情報、視聴ログ及び視聴者情報（以下、対応情報と表記）を取得する。なお、対応情報取得部１５５は、例えばデータ接続装置１０内に予め格納されている対応情報を取得してもよいし、当該データ接続装置１０外部のサーバ装置等から対応情報を取得（受信）しても構わない。
【００７２】
第２特徴分析部１５６は、対応情報を分析することによって、購買者情報と視聴者情報との特徴の関係性を抽出する。
【００７３】
第２特徴情報分析部１５６によって抽出された関係性は、例えば視聴ログ集合取得部１５３による視聴ログ集合の取得に利用される。
【００７４】
次に、図７のフローチャートを参照して、本実施形態に係るデータ接続装置１０の処理手順の一例について説明する。まず、上記した対応情報を利用しない場合におけるデータ接続装置１０の処理手順について説明する。なお、図７に示す処理は、データ接続装置１０に含まれる処理部１５によって実行される。
【００７５】
本実施形態においては、図７に示す処理が実行されることによって、商品を購入したという購入者の行動を示す購買ログ（ユーザの第１の行動を示す第１のログ）と、視聴機器において番組を視聴したという視聴者の行動を示す視聴ログ（ユーザの第２の行動を示す第２のログ）とが接続される。
【００７６】
まず、購入ログ集合取得部１５１は、特定の商品を識別するための商品ＩＤを取得する（ステップＳ１）。ステップＳ１における特定の商品は、例えば分析者によって指定された商品であってもよいし、購入者によって購入された複数の商品の中から自動的に選定された商品であってもよい。
【００７７】
次に、購入ログ集合取得部１５１は、ステップＳ１において取得された商品ＩＤによって識別される商品を購入したという行動を示す購入ログの集合（購入ログ集合）を購入ログ格納部１１から取得する（ステップＳ２）。この場合、購入ログ集合取得部１５１は、ステップＳ１において取得された商品ＩＤを含む複数の購入ログを購入ログ集合として取得する。
【００７８】
ステップＳ２の処理が実行されると、購入ログ集合取得部１５１は、購入ログ集合（複数の購入ログ）の各々に含まれる複数のカードＩＤをカード集合として取得する（ステップＳ３）。なお、カードＩＤは購入者が所有するポイントカードを識別するための識別情報であるため、ステップＳ３において取得されたカード集合は、当該カード集合に含まれるカードＩＤによって識別されるポイントカードを所有する購入者（つまり、ステップＳ１において取得された商品ＩＤによって識別される商品を購入した購入者）の集合に相当する。
【００７９】
第１特徴分析部１５２は、ステップＳ３において取得されたカード集合に含まれる複数のカードＩＤの各々によって識別されるポイントカードを所有する購入者に関する購入者情報（の集合）を購入者情報格納部１２から取得する（ステップＳ４）。具体的には、第１特徴分析部１５２は、ステップＳ３において取得されたカード集合に含まれるカードＩＤの各々を含む複数の購入者情報を取得する。
【００８０】
第１特徴分析部１５２は、ステップＳ４において取得された複数の購入者情報を分析することによって、ステップＳ２において取得された購入ログ集合（ステップＳ１において取得された商品ＩＤによって識別される商品を購入した購入者の集合）における特徴（傾向）を抽出する（ステップＳ５）。ステップＳ５においては、例えば購入者情報及び視聴者情報において共通する属性情報に関する特徴を購入ログ集合における特徴として抽出する。本実施形態においては、購入者情報及び視聴者情報において共通する属性情報として、例えば性別及び年齢等によって表される特徴を抽出するものとする。なお、購入ログ集合における特徴は、例えばステップＳ４において取得された全ての購入者情報の統計等により抽出されてもよいし、当該ステップＳ４において取得された複数の購入者情報のうち例えばＫｍｅａｎｓ法等を用いたクラスタリングにより最も多くの購入者（購入者情報）が分類されたクラスタに属する購入者情報に基づいて抽出されても構わない。
【００８１】
なお、本実施形態においては第１特徴分析部１５２によって１つの特徴が抽出されるものとして説明するが、当該第１特徴分析部１５２は、複数の特徴を抽出しても構わない。具体的には、例えば上記したクラスタリングにより閾値以上の数の購入者（購入者情報）が分類された複数のクラスタの各々に属する購入者情報に基づいて複数の特徴が抽出されてもよい。第１特徴分析部１５２によって複数の特徴が抽出された場合、以下に示すステップＳ６及びＳ７の処理は、当該複数の特徴の各々に対して実行されればよい。
【００８２】
視聴ログ集合取得部１５３は、視聴者情報格納部１４に格納されている視聴者情報（に含まれる属性情報）に基づいて、第１特徴分析部１５２によって抽出された特徴（購入ログ集合における特徴）と共通する特徴を有する視聴ログの集合（視聴ログ集合）を取得する（ステップＳ６）。
【００８３】
ステップＳ６において、視聴ログ集合取得部１５３は、例えば属性情報（例えば、性別及び年齢等）が第１特徴分析部１５２によって抽出された特徴と類似する視聴者情報を特定し、当該特定された視聴者情報の各々に含まれる複数の機器ＩＤを視聴機器集合として取得する。なお、機器ＩＤは視聴者が番組を視聴する視聴機器を識別するための識別情報であるため、視聴ログ集合取得部１５３によって取得される視聴機器集合は、当該視聴機器集合として取得された機器ＩＤによって識別される視聴機器において番組を視聴する視聴者の集合に相当する。
【００８４】
次に、視聴ログ集合取得部１５３は、取得された視聴機器集合に含まれる機器ＩＤの各々を含む複数の視聴ログを視聴ログ集合として取得する。
【００８５】
本実施形態においては、ステップＳ６において取得された視聴ログ集合（または視聴者の集合）がステップＳ２において取得された購入ログ集合（または購入者の集合）に接続される。すなわち、ステップＳ６において取得された視聴ログ集合は、ステップＳ１において取得された商品ＩＤによって識別される商品を購入した購入者（に相当する視聴者）が番組を視聴した履歴を示す視聴ログの集合とみなすことができる。
【００８６】
表示処理部１５４は、ステップＳ７において取得された視聴ログ集合を表示する（ステップＳ７）。この場合、表示処理部１５４は、ステップＳ６において取得された視聴ログ集合を解析する（つまり、購入ログ集合と視聴ログ集合を接続するための処理を実行する）ことによって、当該視聴ログ集合（の解析結果）を表示することができる。なお、表示処理部１５４による視聴ログ集合の表示例については後述する。
【００８７】
以下、本実施形態において購入ログと視聴ログとを接続する具体例について説明する。
【００８８】
まず、購入ログ集合取得部１５１は、特定の商品として、例えばシャンプーＡを識別するための商品ＩＤを取得したものとする。この場合、購入ログ集合取得部１５１は、シャンプーＡを購入したという行動を示す購入ログの集合（以下、シャンプーＡの購入ログ集合と表記）を取得する。ここで取得されたシャンプーＡの購入ログ集合に含まれる購入ログの各々には、シャンプーＡを識別するための商品ＩＤ及び当該シャンプーＡを購入した購入者が所有するポイントカードを識別するためのカードＩＤが含まれている。
【００８９】
次に、購入ログ集合取得部１５１は、シャンプーＡの購入ログ集合（複数の購入ログ）の各々に含まれる複数のカードＩＤ（カード集合）を取得する。ここで取得されるカード集合は、シャンプーＡを購入した購入者の集合に相当する。
【００９０】
第１特徴分析部１５２は、購入ログ集合取得部１５１によって取得されたカード集合に含まれるカードＩＤの各々を含む購入者情報（の集合）を取得する。第１特徴分析部１５２は、取得された購入者情報を分析することによってシャンプーＡの購入ログ集合（シャンプーＡを購入した購入者の集合）における特徴を抽出する。この場合、第１特徴分析部１５２は、例えばシャンプーＡを購入した購入者の集合には３０代の女性の購入者が多いという特徴を抽出することができる。
【００９１】
次に、視聴ログ集合取得部１５３は、第１特徴分析部１５２によって抽出された特徴と共通する特徴を有する視聴ログ集合を取得する。
【００９２】
ここで、上記したように第１特徴分析部１５２によって例えば３０代の女性の購入者が多いという特徴が抽出されているものとすると、視聴ログ集合取得部１５３は、年齢が３０代であり、性別が女性である視聴者情報を特定し、当該特定された視聴者情報の各々に含まれる複数の機器ＩＤ（の集合）を視聴機器集合として取得する。
【００９３】
視聴ログ集合取得部１５３は、視聴機器集合として取得された機器ＩＤの各々を含む視聴ログの集合（視聴ログ集合）を取得する。
【００９４】
このように視聴ログ集合取得部１５３によって取得された視聴ログ集合は、上記したシャンプーＡを購入した購入者に相当する視聴者が番組を視聴したという行動を示す視聴ログの集合（以下、シャンプーＡの購入者の視聴ログ集合と表記）である。すなわち、本実施形態においては、シャンプーＡを購入した購入者の集合（購入者情報）における特徴（例えば、性別及び年齢等）を条件として、当該購入者に相当する視聴者を推定することにより、シャンプーＡの購入者の視聴ログ集合が取得される。
【００９５】
本実施形態においては、このような視聴ログ集合を解析することによって、例えばシャンプーＡを購入した購入者（に相当する視聴者）の視聴習慣等の情報（すなわち、購入ログのみからでは得ることができない情報）を得ることができる。
【００９６】
例えば、上記したように視聴ログに含まれる視聴開始時間及び視聴終了時間によれば、視聴者が番組を視聴した時間帯（当該視聴開始時間から視聴終了時間までの時間帯）の情報を得ることができる。これによれば、シャンプーＡの購入者の視聴ログ集合を解析することによって、シャンプーＡを購入した購入者が番組を視聴する時間帯（視聴習慣）を推定することができるため、当該シャンプーＡの購入者が番組を視聴する時間帯に基づいて当該シャンプーＡ及び当該シャンプーＡに関連する商品の広告の展開等を行うことにより、より広告の効果を得ることができる可能性がある。
【００９７】
また、視聴ログに含まれる番組ＩＤにより、当該番組ＩＤによって識別される番組のジャンル等の情報を得ることができるものとする。この場合、例えば視聴ログ集合を解析することにより特定のジャンルの番組が多く視聴されていることが推定される場合には、当該視聴ログ集合においては当該特定のジャンルの番組を多く視聴するという視聴習慣があると推定することができる。
【００９８】
これにより、例えばシャンプーＡを購入した購入者がドラマのジャンルの番組を多く視聴するという視聴習慣があると推定された場合には、当該視聴習慣に基づいてシャンプーＡの広告の展開等を行うことにより、より広告の効果を得ることができる可能性がある。
【００９９】
なお、視聴ログ集合を解析することによって、ジャンルではなく、例えばシャンプーＡを購入した購入者の多くが視聴している番組を特定する（つまり、特定の番組を視聴するという視聴習慣があると推定する）ようなことも可能である。
【０１００】
ここで、上記した図７に示す処理においては、購入ログ集合における特徴（購入者情報及び視聴者情報において共通する属性情報の特徴）に基づいて視聴ログ集合が取得されるものとして説明したが、例えば性別及び年齢の特徴からでは購入ログ集合と視聴ログ集合との接続精度が低い場合がある。
【０１０１】
そこで、本実施形態においては、上記した対応情報を利用して購入ログ集合と視聴ログ集合とを接続することも可能である。以下、図８のフローチャートを参照して、対応情報を利用する場合におけるデータ接続装置１０の処理手順の一例について説明する。
【０１０２】
まず、上述した図７に示すステップＳ１〜Ｓ５の処理に相当するステップＳ１１〜Ｓ１５の処理が実行される。
【０１０３】
次に、対応情報取得部１５５は、上記した同一のユーザに関する購買ログ、購買者情報、視聴者ログ及び視聴者情報を対応情報として取得する（ステップＳ１６）。この場合、対応情報として取得された購買ログ及び購買者情報に含まれるカードＩＤによって識別されるポイントカードを所有する購入者（ユーザ）と、対応情報として取得された視聴者ログ及び視聴者情報に含まれる機器ＩＤによって識別される視聴機器において番組を視聴する視聴者（ユーザ）とは同一である。すなわち、対応情報は、購買ログ（及び購買者情報）と視聴者ログ（及び視聴者情報）とが既に接続された（対応づけられた）情報である。
【０１０４】
なお、対応情報取得部１５５は、サンプルとして収集された複数のユーザの各々に関する対応情報を取得するものとする。
【０１０５】
第２特徴分析部１５６は、対応情報取得部１５５によって取得された対応情報（購入ログ、購入者情報、視聴者ログ及び視聴者情報）に対して例えば相関分析処理等を実行することにより、例えば購入者情報に含まれる属性情報（特徴）と視聴者情報に含まれる属性情報（特徴）との関係性（以下、購入者情報と視聴者情報との関係性と表記）を抽出する（ステップＳ１７）。
【０１０６】
視聴ログ集合取得部１５３は、ステップＳ１７において抽出された購入者情報と視聴者情報との関係性を利用することによって、ステップＳ１１において取得された商品ＩＤによって識別される商品を購入した購入者が番組を視聴したという行動を示す視聴ログの集合（視聴ログ集合）を取得する（ステップＳ１８）。この場合、視聴ログ集合取得部１５３は、ステップＳ１７において抽出された関係性において、ステップＳ５において抽出された特徴（購入者情報に含まれる属性情報）に対応する視聴者情報を取得し、当該視聴者情報に含まれる機器ＩＤを含む視聴ログの集合を取得する。
【０１０７】
ステップＳ１７及びＳ１８の処理について具体的に説明すると、ステップＳ１５において、シャンプーＡを購入した購入者には例えば年収が低めであり、趣味がガーデニングである３０代の女性が多いという特徴が抽出された場合を想定する。なお、この特徴は、上記した図３に示す購入者情報に含まれる各属性情報に基づいて抽出される。
【０１０８】
また、ステップＳ１７においては、購入者情報に含まれる属性情報と視聴者情報に含まれる属性情報との関係性として、年収が低めであり、趣味がガーデニングである購入者の視聴機器の画面サイズは小さい、という関係性が抽出されているものとする。
【０１０９】
これによれば、ステップＳ１８においては、年収が低めであり、趣味がガーデニングである３０代の女性が多いという特徴が抽出された購入者情報に対応する視聴者情報として、例えば年齢が３０代であり、性別が女性であり、かつ、画面サイズが小さい視聴者情報が取得され、当該視聴者情報に基づいて視聴ログ集合を取得することができる。この場合、このような視聴者情報の各々に含まれる複数の機器ＩＤ（の集合）を視聴機器集合として取得し、当該視聴機器集合として取得された機器ＩＤの各々を含む視聴ログ集合を取得することができる。
【０１１０】
ステップＳ１８の処理が実行されると、図７に示すステップＳ７の処理に相当するステップＳ１９の処理が実行される。
【０１１１】
ここで、上記したように表示処理部１５４は、購入ログ集合に接続される視聴ログ集合（つまり、視聴ログ集合取得部１５３によって取得される視聴ログ集合）を表示する。
【０１１２】
この場合、表示処理部１５４は、例えば図９に示すようなグラフを表示することができる。図９に示すグラフにおいて、縦軸は視聴ログ集合における視聴機器数、横軸は時間帯（視聴時間帯）を表している。
【０１１３】
表示処理部１５４は、視聴ログ集合を解析し、時間帯毎に当該時間帯に該当する視聴開始時間及び視聴終了時間を含む視聴ログ（に含まれる機器ＩＤ）の数を集計することによって、図９に示すグラフを表示することができる。このようなグラフにおいては、各時間帯における視聴機器（において番組を視聴していた視聴者）の統計を示すことができる。
【０１１４】
上記したシャンプーＡの購入者の視聴ログ集合の場合、図９に示すグラフによれば、当該シャンプーＡを購入した購入者（に相当する視聴者）が主として例えば２０時から２４時の時間帯に番組を視聴する（つまり、視聴時間帯が２０時から２４時の時間帯である）傾向にあることが示されている。
【０１１５】
また、表示処理部１５４は、例えば図１０に示すようなグラフを表示することも可能である。図１０に示すグラフにおいて、縦軸は視聴ログ集合における視聴機器数、横軸はジャンルを表している。
【０１１６】
表示処理部１５４は、視聴ログ集合を解析することによって視聴機器毎に視聴する傾向にある番組のジャンル（つまり、当該視聴機器において番組を視聴する視聴者が興味のあるジャンル）を特定し、当該ジャンル毎に視聴機器数を集計することによって、図１０に示すグラフを表示することができる。このようなグラフにおいては、各ジャンルに対して興味のある視聴者（が番組を視聴する視聴機器）の統計を示すことができる。
【０１１７】
なお、例えば視聴機器において最も多く視聴されている１つのジャンルを当該視聴機器において視聴する傾向にある番組のジャンル（つまり、視聴者が興味のあるジャンル）として特定してもよいし、例えば視聴機器において予め定められた時間以上視聴されている２以上のジャンルを当該視聴機器において視聴する傾向にあるジャンルとして特定してもよい。
【０１１８】
上記したシャンプーＡの購入者の視聴ログ集合の場合、図１０に示すグラフによれば、当該シャンプーＡを購入した購入者（に相当する視聴者）が主としてドラマ（のジャンルの番組）を視聴する傾向にあることが示されている。
【０１１９】
また、表示処理部１５４は、横軸が視聴者情報に含まれる属性情報を表すグラフを表示することも可能である。
【０１２０】
図１１は、縦軸が視聴ログ集合における視聴機器数、横軸が性別を表すグラフの例を示す。表示処理部１５４は、視聴ログ集合（複数の視聴ログ）の各々に含まれる機器ＩＤを含む視聴者情報に含まれる性別を集計することによって、図１１に示すグラフを表示することができる。このようなグラフにおいては、視聴ログ集合の各々に含まれる機器ＩＤの各々によって識別される視聴機器において番組を視聴する視聴者の性別の統計を示すことができる。
【０１２１】
上記したシャンプーＡの購入者の視聴ログ集合の場合、図１１に示すグラフによれば、当該シャンプーＡを購入した購入者（に相当する視聴者）は男性よりも女性の方が多い傾向にあることが示されている。
【０１２２】
図１２は、縦軸が視聴ログ集合における視聴機器数、横軸が年齢を表すグラフの例を示す。表示処理部１５４は、視聴ログ集合（複数の視聴ログ）の各々に含まれる機器ＩＤを含む視聴者情報に含まれる年齢（例えば、０〜１９歳、２０〜３９歳、４０〜５９歳、６０歳以上の各グループ）を集計することによって、図１２に示すグラフを表示することができる。このようなグラフにおいては、視聴ログ集合の各々に含まれる機器ＩＤの各々によって識別される視聴機器において番組を視聴する視聴者の年齢の統計を示すことができる。
【０１２３】
上記したシャンプーＡの購入者の視聴ログ集合の場合、図１２に示すグラフによれば、当該シャンプーＡを購入した購入者（に相当する視聴者）は２０〜３９歳の人が多いことが示されている。
【０１２４】
なお、上記した図９〜図１２に示すグラフは個別で表示されるのではなく、例えば並べて表示されても構わない。例えば図９〜図１２に示すグラフが並べて表示された場合は、シャンプーＡを購入した購入者（の層）は、視聴時間が２０時から２４時の時間帯にドラマを多く視聴する、２０〜３９歳の女性であることを容易に把握することができる。
【０１２５】
このような場合には、シャンプーＡ及び当該シャンプーＡに関連する商品の広告（テレビコマーシャル等）を２０時から２４時の時間帯に放送されるドラマ（のジャンルの番組）の前後または途中に挿入することにより、当該広告に関して高い効果を得ることが期待できる。また、例えば２０時から２４時の時間帯に放送されるドラマのうち、例えば２０〜３９歳の女性が視聴すると推測されるドラマを、広告を挿入するドラマとして選定することで、更に高い効果を得ることができると推測される。
【０１２６】
なお、図９〜図１２に示すグラフのうち例えば分析者等によって指定されたグラフが表示されるようにしてもよい。すなわち、本実施形態においては、例えば集計対象（表示対象）を分析者が適宜選択（フィルタリング）することができるようにしても構わない。
【０１２７】
また、図９〜図１２に示すように視聴ログ集合は折れ線グラフにより表示されているが、当該視聴ログ集合は、例えば表、円グラフまたは棒グラフ等の他の態様で表示されても構わない。
【０１２８】
また、ここではシャンプーＡの購入者の視聴ログ集合が表示されるものとして説明したが、更に、例えば当該視聴ログ集合を除外した視聴ログの集合（つまり、シャンプーＡを購入した購入者に相当する視聴者以外の視聴者が番組を視聴したという行動を示す視聴ログの集合）が表示されても構わない。これによれば、シャンプーＡを購入した購入者に相当する視聴者が番組を視聴したという行動を示す視聴ログ集合における特徴を、より明確に把握することが可能となる。
【０１２９】
更に、視聴ログ集合が接続される購入ログ集合（購入ログ集合取得部１５１によって取得される購入ログ集合）についても、視聴ログ集合と同様に表示することが可能である。この場合、購入ログ集合及び当該購入ログ集合に接続される視聴ログ集合を対応づけて表示することにより、当該購入ログ集合及び視聴ログ集合を比較するようなことも可能である。また、購入ログ集合及び視聴ログ集合のうち選択されたログ集合が表示されるようにしてもよい。
【０１３０】
上記したように本実施形態においては、購入者が商品を購入したという行動を示す複数の購入ログ（第１の行動を示す複数の第１のログ）のうち、例えば特定の商品を購入したという行動を示す購入ログ集合を取得し、当該購入ログ集合と共通する特徴を有する視聴ログ集合を取得する。なお、視聴ログ集合は、視聴者が番組を視聴したという行動を示す視聴ログ（第２の行動を示す第２のログ）の集合である。
【０１３１】
この場合、購入ログ集合に基づいて特定の商品を購入した購入者に関する購入者情報（第１の属性情報）を取得し、当該取得された購入者情報を分析することによって、当該購入者情報と特徴が共通する視聴者情報を取得し、当該取得された視聴者情報に関する視聴者が番組を視聴したという行動を示す視聴ログ集合を取得する。
【０１３２】
本実施形態においては、このような構成により、独立した複数のログ（第１及び第２のログ）を接続して利用することが可能となる。すなわち、本実施形態においては、購入ログ集合及び視聴ログ集合を接続することによって、例えば購入ログ集合における特定の商品を購入した購入者に相当する視聴者が番組を視聴する視聴習慣（時間帯及びジャンル等）を推定することができるため、例えば購入ログ（集合）または視聴ログ（集合）の各々からは得ることができない情報（例えば、購入者の視聴習慣）を得ることができ、当該情報を例えば商品の広告の展開等に利用することが可能となる。
【０１３３】
また、本実施形態においては、既に接続された購入ログ、購入者情報、視聴ログ及び視聴者情報（対応情報）に基づいて、当該購入者情報（及び購入ログ）と視聴者情報（及び視聴ログ）とにおける特徴の関係性を抽出し、当該抽出された関係性を利用して視聴ログ集合を取得する。ここで、例えば購入者がシャンプーＡを購入したという行動を示す購入ログ集合が取得された場合を想定する。この場合、対応情報（に基づいて抽出された特徴の関係性）を利用しない場合と比較して、シャンプーＡの購入者に相当する可能性の高い視聴者の視聴ログ集合を取得することが可能となるため、購入ログ集合と視聴ログ集合との接続精度を向上させることが可能となる。
【０１３４】
また、本実施形態においては、上記した図９〜図１２に示すように視聴ログ集合（の解析結果）を表示することが可能であるため、分析者は例えば特定の商品（例えば、シャンプーＡ）の購入者の視聴習慣（視聴ログ集合の解析結果）等を容易に把握することが可能となる。
【０１３５】
なお、本実施形態においては、購入ログ集合に接続される視聴ログ集合が取得されるものとして説明したが、例えば特定の番組を識別するための番組ＩＤが入力され、当該番組ＩＤを含む視聴ログ集合に接続される購入ログ集合が取得されても構わない。この場合において取得される購入ログ集合（つまり、視聴ログ集合に接続される購入ログ集合）は、特定の番組を視聴した視聴者に相当する購入者が商品を購入したという行動を示す購入ログの集合となる。
【０１３６】
ここで、本実施形態においては購入ログ（集合）と視聴ログ（集合）とが接続される場合について主に説明したが、本実施形態は、独立した複数のログ接続する場合であれば適用可能である。以下、本実施形態において説明した購入ログ及び視聴ログ以外の独立した複数のログを接続する例について説明する。
【０１３７】
まず、独立した２つの購入ログを接続する例について説明する。ここでは、データ接続装置１０は、例えば第１のポイントカードを所有する第１の購入者が商品を購入したという行動を示す第１の購入ログを格納する第１の購入ログ格納部と、当該第１の購入者に関する情報（以下、第１の購入者情報と表記）を格納する第１の購入者情報格納部とを含む。また、データ接続装置１０は、第１のポイントカードとは異なる第２のポイントカードを所有する第２の購入者が商品を購入したという行動を示す第２の購入ログを格納する第２の購入ログ格納部と、当該第２の購入者に関する情報（以下、第２の購入者情報と表記）を格納する第２の購入者情報格納部を含む。すなわち、第１の購入ログ格納部、第１の購入者情報格納部、第２の購入ログ格納部及び第２の購入者情報格納部は、それぞれ本実施形態において説明した購入ログ格納部１１、購入者情報格納部１２、視聴ログ格納部１３及び視聴者情報格納部１４に相当する。
【０１３８】
このような場合、本実施形態に係るデータ接続装置１０によれば、上記した第１の購入ログ、第１の購入者情報、第２の購入ログ及び第２の購入者情報に基づいて、例えば特定の商品を購入した第１のポイントカードを所有する第１の購入者に相当する第２の購入者が商品を購入したという行動を示す第２の購入ログ集合を取得することができる。具体的には、特定の商品を購入した第１の購入者（第１の購入者情報）の特徴（例えば、性別及び年齢等）を条件として、当該第１の購入者に相当する第２の購入者を推定することにより、第２の購入ログ集合を取得することができる。なお、第２の購入ログ集合を取得する処理は、上記した図７及び図８に示す処理と同様であるため、その詳しい説明を省略する。
【０１３９】
これによれば、上記した第２の購入ログ集合を解析することによって、例えば第１のポイントカードを提示して商品を購入した購入者が第２のポイントカードを提示して購入した商品等の情報を得ることができる。
【０１４０】
すなわち、例えば第１の購入ログ集合からでは第１の店舗で第１の商品を購入した購入者の情報しか得ることができないが、上記した第１の購入ログ集合と第２の購入ログ集合とを接続することによって、第１の店舗で第１の商品を購入した購入者が第２の店舗で第２の商品を買っているか否か等の情報までも得ることができる。
【０１４１】
次に、ウェブサイト等の閲覧ログと視聴ログとを接続する例について説明する。ここでは、データ接続装置１０は、例えばインターネットを利用してウェブサイトを閲覧するユーザ（以下、閲覧者と表記）がウェブサイトを閲覧したという行動を示す閲覧ログを格納する閲覧ログ格納部及び当該閲覧者に関する情報（以下、閲覧者情報と表記）を格納する閲覧者情報格納部を含む。また、データ接続装置１０は、上記した視聴ログ格納部１３及び視聴者情報格納部１４を含む。すなわち、閲覧ログ格納部及び閲覧者情報格納部は、それぞれ本実施形態において説明した購入ログ格納部１１及び購入者情報格納部１２に相当する。
【０１４２】
このような場合、本実施形態に係るデータ接続装置１０によれば、上記した閲覧ログ、閲覧者情報、視聴ログ及び視聴者情報に基づいて、例えば特定のウェブサイトを閲覧した閲覧者に相当する視聴者が番組を視聴したという行動を示す視聴ログ集合を取得することができる。具体的には、例えば特定のウェブサイトを閲覧した閲覧者（閲覧者情報）の特徴（例えば、閲覧したウェブサイトのジャンル、閲覧者の年齢及び性別等）を条件として、当該閲覧者に相当する視聴者を推定することにより、視聴ログ集合を取得することができる。なお、視聴ログ集合を取得する処理は、上記した図７及び図８に示す処理と同様であるため、その詳しい説明を省略する。
【０１４３】
これによれば、このような視聴ログ集合を解析することによって、例えば特定のウェブサイトを閲覧した閲覧者が視聴機器において視聴した番組等の情報を得ることができる。
【０１４４】
すなわち、例えば閲覧ログ集合からではウェブサイトａを閲覧した閲覧者の情報しか得ることができないが、上記したように閲覧ログ集合と視聴ログ集合とを接続することによって、ウェブサイトａを閲覧した閲覧者が視聴機器において番組ｂを視聴しているか否か等の情報までも得ることができる。
【０１４５】
なお、閲覧ログ集合と視聴ログ集合との接続に用いられるウェブサイトのジャンルは、例えば当該ウェブサイトに対応づけて予め用意されていてもよいし、当該ウェブサイト（ページ）内のキーワードから推定されてもよい。また、閲覧者情報に含まれる閲覧者の性別及び年齢等についても同様に、当該閲覧者が閲覧したウェブサイトの内容（傾向）から推定されてもよい。
【０１４６】
上記したように本実施形態においては、独立した複数のログを接続することによって、それぞれのログからは得ることができない有用な情報を得ることが可能となる。
【０１４７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０１４８】
１０…データ接続装置、１１…購入ログ格納部、１２…購入者情報格納部、１３…視聴ログ格納部、１４…視聴者情報格納部、１５…処理部、１５１…購入ログ集合取得部、１５２…第１特徴分析部、１５３…視聴ログ集合取得部、１５４…表示処理部、１５５…対応情報取得部、１５６…第２特徴分析部。
【図１】
2018147177.tif 000003
【図２】
2018147177.tif 000004
【図３】
2018147177.tif 000005
【図４】
2018147177.tif 000006
【図５】
2018147177.tif 000007
【図６】
2018147177.tif 000008
【図７】
2018147177.tif 000009
【図８】
2018147177.tif 000010
【図９】
2018147177.tif 000011
【図１０】
2018147177.tif 000012
【図１１】
2018147177.tif 000013
【図１２】
2018147177.tif 000014